(57)【特許請求の範囲】
【請求項１】
壁面にねじ止めされ、前面にばね受部及び縦ガイド溝が起設された固定部材と、前記縦ガイド溝で上下動のみ可能にガイドされ、前面にばね掛け部が起設された可動部材と、前記可動部材の上部に設けられ、鏡の上縁に係止する鉤部と、前記ばね受部と前記ばね掛け部とに掛けられ、前記固定部材に上下動のみ可能に嵌合された状態の可動部材を下方へ弾発するばねとからなる鏡止め具において、前記ばねの弾発力を変化させる弾発力変化機構を設け、
前記ばねは、線材または帯材で左右対称の略逆Ｖ字状に形成され、ばねの両端側を前記固定部材の左右側に有する前記ばね受部に掛け、且つ中央側を前記可動部材の左右方向中央に有する前記ばね掛け部に掛けるものであって、更に、前記両端側に、下方へ略ハ字形に開かれた第１下降作用部と、この第１下降作用部の上部で第１下降作用部よりも略ハ字形の開き角が大きい第２下降作用部とを形成されることで、前記鉤部が鏡の上縁に係止する下部位置にあるときに左右側に開き且つ鉤部が鏡の上縁から外れた上部位置にあるときに前記ばね受部との係合により左右方向中央に絞られる構成であり、前記弾発力変化機構は、前記第１・第２下降作用部と前記ばね受部とから構成されていることを特徴とする鏡止め具。
【請求項２】
前記ばねの両端側に且つ前記第２下降作用部の上部に、ばねの左右方向外側に突出した円弧状の第３下降作用部を形成したことを特徴とする請求項１記載の鏡止め具。
【請求項３】
壁面にねじ止めされ、前面にばね受部及び縦ガイド溝が起設された固定部材と、前記縦ガイド溝で上下動のみ可能にガイドされ、前面にばね掛け部が起設された可動部材と、前記可動部材の上部に設けられ、鏡の上縁に係止する鉤部と、前記ばね受部と前記ばね掛け部とに掛けられ、前記固定部材に上下動のみ可能に嵌合された状態の可動部材を下方へ弾発するばねとからなる鏡止め具において、前記ばねの弾発力を変化させる弾発力変化機構を設け、
前記ばねは、線材または帯材で左右対称の略逆Ｖ字状に形成され、ばねの両端側を前記固定部材の左右側に有する前記ばね受部に掛け、且つ中央側を前記可動部材の左右方向中央に有する前記ばね掛け部に掛けるものであって、更に、前記両端側に、下方へ略ハ字形に開かれた下降作用部を形成されることで、前記鉤部が鏡の上縁に係止する下部位置にあるときに左右側に開き且つ鉤部が鏡の上縁から外れた上部位置にあるときに前記ばね受部との係合により左右方向中央に絞られる構成であり、しかも、前記ばねの表面に所定の摩擦抵抗を有する被膜を施され、前記弾発力変化機構は、前記被膜を施されたばねの下降作用部と前記ばね受部とから構成されていることを特徴とする鏡止め具。
【発明の詳細な説明】
【０００１】
【発明の属する技術分野】
本発明は壁面に鏡を取付けるための鏡止め具に関する。
【０００２】
【従来の技術】
一般に、鏡は下部の受け具と上部の鏡止め具とで壁面に取付けられ、鏡止め具は鏡に対して上下スライド可能とされている（鏡止め具に設けた長孔を通して止めねじで壁面に固定され、この止めねじを緩めることで長孔の範囲で鏡止め具がスライドする。）。
しかし、上記従来の技術では、取付け当初は問題ないが、長期使用中に繰返し鏡面を雑巾で拭くなどすると、止めねじが緩み鏡止め具が移動し易くなり、わずかな外力（鏡面を雑巾で上下に拭いた場合等）で持上がる恐れがあった。鏡止め具が徐々に鏡の上縁から上方へ離れ、見苦しくなる。
【０００３】
この問題点を解決しようとするものに、実開平３−１２９３６１号公報（鏡固定具）の技術があり、この公報の図１によれば、フック部材（鏡止め具に相当）１０の上側に鏡係止部１０ａを形成し且つ下側に付勢部材固定部１２を形成し、フック部材１０をこれに設けた長孔１１を通して壁面にねじ３で緩く止め、このねじ３に移動防止用付勢部材（ねじりばね）２０の一端の輪２３を係止し、移動防止用付勢部材２０の他端をフック部材１０の付勢部材固定部１２に挿入することで、フック部材１０を下方へ弾発させたものである。
鏡Ｍを鏡固定具で壁面Ｗに取付ける手順は、第３図に示すように▲１▼フック部材１０を摘んで持上げ、▲２▼鏡Ｍを壁面Ｗにセットし、▲３▼摘んでいた手を放すこと（移動防止用付勢部材２０の弾発力でフック部材１０が下降して鏡Ｍの上縁に係止）である。
【０００４】
【発明が解決しようとする課題】
このような鏡固定具は、わずかな外力でフック部材１０が持上がることを防止するために、フック部材１０を下方へ弾発させるための移動防止用付勢部材２０の弾発力は、大きいことが求められる。
一方、鏡Ｍを壁面Ｗに取付けるには、持上げられたフック部材１０を鏡の上縁に係止するものであり、摘んでいた手を放すと、フック部材１０は移動防止用付勢部材２０の弾発力で勢いよく鏡Ｍの上縁に当たる。このため、当たった衝撃が大きいと鏡Ｍの縁が欠ける恐れがあるので、移動防止用付勢部材２０の弾発力は大き過ぎないことが好ましい。しかし、持上がり防止のためには、移動防止用付勢部材２０の弾発力を小さくできない。
これを補うためには、フック部材１０の掛止め作業時に、鏡Ｍの上縁に衝撃を与えないようにゆっくり降ろすなど注意を払う必要があり、作業が煩わしい。
【０００５】
そこで本発明の目的は、（１）壁に鏡を取付ける際に、鏡の縁に衝撃を与えないように注意を払う必要がないこと、（２）可動部材がわずかな外力で持上がる恐れがなく、鏡の上縁を確実に止めることができることにある。
【０００６】
【課題を解決するための手段】
上記目的を達成するために請求項１記載の発明は、壁面にねじ止めされ、前面にばね受部及び縦ガイド溝が起設された固定部材と、前記縦ガイド溝で上下動のみ可能にガイドされ、前面にばね掛け部が起設された可動部材と、前記可動部材の上部に設けられ、鏡の上縁に係止する鉤部と、前記ばね受部と前記ばね掛け部とに掛けられ、前記固定部材に上下動のみ可能に嵌合された状態の可動部材を下方へ弾発するばねとからなる鏡止め具において、前記ばねの弾発力を変化させる弾発力変化機構を設けたことを特徴とする。
ばねの弾発力が変化するので、鉤部が下降する際の速度を制限することができる。このため、鏡の上縁に鉤部を当接した瞬間の鏡への衝撃を弱めることができる。
しかも、ばねの弾発力を変化させることができるので、可動部材の持上がりに対する弾発力を大きく設定することができる。このため、可動部材がわずかな外力で持上がる恐れがない。
【０００７】
さらに請求項１記載の発明は、前記ばねを線材または帯材で左右対称の略逆Ｖ字状に形成し、ばねの両端側を前記固定部材の左右側に有する前記ばね受部に掛け、且つ中央側を前記可動部材の左右方向中央に有する前記ばね掛け部に掛けるものとし、更に、前記ばねの両端側に、下方へ略ハ字形に開かれた第１下降作用部と、この第１下降作用部の上部で第１下降作用部よりも略ハ字形の開き角が大きい第２下降作用部とを形成することで、前記鉤部が鏡の上縁に係止する下部位置にあるときに左右側に開き且つ鉤部が鏡の上縁から外れた上部位置にあるときに前記ばね受部との係合により左右方向中央に絞られる構成とし、前記弾発力変化機構を、前記第１・第２下降作用部と前記ばね受部とで構成したことを特徴とする。
第２下降作用部の方が第１下降作用部よりも開き角が大きいので、下方への弾発力も大きい。
可動部材を下降させた場合に、ばねは最初に弾発力の小さな第１下降作用部がばね受部と係合しながら下降し、次に弾発力の大きな第２下降作用部がばね受部と係合しながら下降する。このため、鉤部は最初の所定時間に比較的低速で下降し、次にこれよりも高速で下降して鏡の上縁に当接する。従って、鉤部が高速で下降しても加速時間が短いので、鏡の上縁に当接する瞬間の最終速度は比較的低速ですむ。これにより、鉤部が鏡の上縁に当接した瞬間の衝撃は弱まる。
また、鏡が鏡止め具で壁面に取付けられた状態では、弾発力の大きな第２下降作用部がばね受部と係合しているので、可動部材の持上がりに対する弾発力が大きい。このため、可動部材がわずかな外力で持上がる恐れはない。
【０００８】
請求項２記載の発明は、前記ばねの両端側に且つ前記第２下降作用部の上部に、ばねの左右方向外側に突出した円弧状の第３下降作用部を形成したことを特徴とする。
ばねに円弧状の第３作用部を形成したので、鏡の上縁に当接する瞬間の最終速度が一層低速になる。このため、鏡の上縁に鉤部を当接した瞬間の鏡への衝撃が一層弱まる。
【００１０】
請求項３記載の発明は、壁面にねじ止めされ、前面にばね受部及び縦ガイド溝が起設された固定部材と、前記縦ガイド溝で上下動のみ可能にガイドされ、前面にばね掛け部が起設された可動部材と、前記可動部材の上部に設けられ、鏡の上縁に係止する鉤部と、前記ばね受部と前記ばね掛け部とに掛けられ、前記固定部材に上下動のみ可能に嵌合された状態の可動部材を下方へ弾発するばねとからなる鏡止め具において、前記ばねの弾発力を変化させる弾発力変化機構を設け、
前記ばねを線材または帯材で左右対称の略逆Ｖ字状に形成し、ばねの両端側を前記固定部材の左右側に有する前記ばね受部に掛け、且つ中央側を前記可動部材の左右方向中央に有する前記ばね掛け部に掛けるものとし、更に、前記両端側に、下方へ略ハ字形に開かれた下降作用部を形成されることで、前記鉤部が鏡の上縁に係止する下部位置にあるときに左右側に開き且つ鉤部が鏡の上縁から外れた上部位置にあるときに前記ばね受部との係合により左右方向中央に絞る構成とし、しかも、前記ばねの表面に所定の摩擦抵抗を有する被膜を施し、前記弾発力変化機構を、前記被膜を施されたばねの下降作用部と前記ばね受部とで構成したことを特徴とする。
表面に所定の摩擦抵抗を有する被膜を施されたばねの下降作用部とばね受部との摩擦力によって、ばねの弾発力を変化させることができるので、ばねがシンプルな形状であるにもかかわらず、鉤部が下降する際の速度を制限することができる。また、可動部材の持上がりに対しても、ばねとばね掛け部との摩擦力が作用するので、可動部材の持上がりに対する抵抗力が一層大きくなる。
【００１４】
【発明の実施の形態】
本発明の実施例を添付図面に基づいて以下に説明する。
先ず、第１実施例を図１〜図７に基づいて説明する。
図１は本発明に係る鏡止め具（第１実施例）による鏡の取付け構造の斜視図であり、鏡１は壁面２に下部受け具４及び鏡止め具１０で取付けられている。下部受け具４は鏡１の下縁を受け、鏡止め具１０は鏡１の上縁を止めるものである。
【００１５】
図２は本発明に係る鏡止め具（第１実施例）の分解斜視図であり、鏡止め具１０は、壁面２（図１参照）に取付けられる固定部材１１と、この固定部材１１に上下動のみ可能にガイドされる可動部材３１と、固定部材１１と可動部材３１との間に掛けられるばね４１とからなる。
【００１６】
固定部材１１は、前面視略エ字形を呈する平板状の固定本体１２（上部水平部１２ａとその下の垂直部１２ｂとその下の下部水平部１２ｃからなる）と、垂直部１２ｂ前面の左右に形成された一対の縦ガイド溝１３，１３と、これらの縦ガイド溝１３，１３の下側に起設された一対の平面視Ｌ字状のばね受部１４，１４と、垂直部１２ｂの上部に開けられたねじ用孔１５と、下部水平部１２ｃの下部から前側（図４にて説明する鏡１の裏側）に向って起設された押圧アーム１６と、下部水平部１２ｃの左右両端に設けられた保持部１７，１７とからなり、鋼板等の板材から一体に折り曲げ成形される。
【００１７】
各縦ガイド溝１３，１３は、上・下水平部１２ａ，１２ｃと逆Ｌ字状のガイド部１８，１８によって形成される。ねじ用孔１５には止めねじ２１が挿通される。押圧アーム１６の先端部１６ａは、想像線で示す軟質樹脂製被膜のクッション２２で被覆されている。
垂直部１２ｂ及び押圧アーム１６は止めねじ２１の位置を支点として前後に弾性変形可能であり、保持部１７，１７も押圧アーム１６の変形時に同一方向に弾性変形可能である。
【００１８】
固定部材１１は壁面２（図１参照）に取付けるための取付面に１つの凸部２３を備えている。すなわち、下部水平部１２ｃの裏面には、左右方向中央に且つねじ用孔１５と押圧アーム１６との間に、半球状の凸部２３が一体に形成されている。
【００１９】
可動部材３１は平板状の可動本体３２と、この可動本体３２の下側に延びた左右一対の脚部３３，３３と、これらの脚部３３，３３の下部に形成された圧接部３４，３４と、可動本体３２の上端前面に略コ字状断面に起設された鉤部３５と、可動本体３２の左右方向中央に且つ鉤部３５の近傍に起設されたばね掛け部３６とからなり、鋼板等の板材から一体に折り曲げ成形される。
可動部材３１は上下動のみ可能にガイドされるために、各脚部３３，３３が各縦ガイド溝１３，１３に嵌合されている。
【００２０】
圧接部３４，３４は保持部１７，１７に摩擦力でロックされるものであり、突出した表面が半球状である。圧接部３４，３４は、例えばエンボス加工にて成形される。そして、固定部材１１の保持部１７と可動部材３１の圧接部３４との組合せは、鏡取付け前の鉤部３５が下降せぬようにロックするロック機構を構成し、このロック機構は摩擦力でロック状態を維持する。
なお、３２ａは可動部材３１が上下動した際に止めねじ２１に当たらないための凹部、３７は可動本体３２にばね掛け部３６を起設するための切抜き孔である。
【００２１】
ばね４１は、ばね性を有する線材（例えば、ピアノ線）または帯材により、左右対称の略逆Ｖ字状（概ねΩ字に類似した形状）に形成されている。すなわち、ばね４１は中央部４２が下向きの略ヘアピン形であり、両端側には、最下端の端末部４３，４３と、この端末部４３，４３の上部の第１下降作用部（傾斜部）４４，４４と、この第１下降作用部４４，４４の上部の第２下降作用部（傾斜部）４５，４５とを一体に形成してなる。
【００２２】
端末部４３，４３は折返された形状であり、第１下降作用部４４，４４は斜め下方へ略ハ字形に開かれた形状であり、第２下降作用部４５，４５は斜め下方へ開かれ第１下降作用部よりも開き角が大きい略ハ字形の形状である。これらの端末部４３及び第１・第２下降作用部４４，４５は、ばね４１の左右方向に形成される。そして、ばね４１は第１下降作用部４４，４４同士、第２下降作用部４５，４５同士が離反する方向に弾発されている。
【００２３】
ばね４１は、両端側（第１・第２下降作用部４４，４５）を固定部材１１のばね受部１４，１４に掛けられ、中央部４２を可動部材３１のばね掛け部３６に掛けられることで、固定部材１１に上下動のみ可能に嵌合された状態の可動部材３１を下方へ弾発する。
このように、ばね４１は、鉤部３５が鏡１の上縁に係止する下部位置にあるときに左右側に開き、且つ鉤部３５が鏡１の上縁から外れた上部位置にあるときにばね受部１４，１４との係合により左右方向中央に絞られる構成である。
【００２４】
このため、ばね４１の弾発力は、第２下降作用部４５，４５がばね受部１４，１４に係合している状態の方が、第１下降作用部４４，４４がばね受部１４，１４に係合している状態よりも大きくなるように変化する。
そして、ばね受部１４と第１・第２下降作用部４４，４５とからなる構成は、ばね４１の弾発力を変化させる弾発力変化機構を構成する。
【００２５】
図３は図１の３−３線拡大断面図であり、下部受け具４は略Ｊ字状断面を呈し、裏面が止めねじ５で壁面２に取付けられ、鏡１の下縁とクッション６とを挟持し且つ受けている。下部受け具４は鋼板等の板材から一体に折り曲げ成形され、前後方向（この図の左右方向）に弾性変形可能である。
下部受け具４の裏面には、止めねじ５を挟んだ上下２箇所に半球状の凸部７，７が一体に形成されている。
【００２６】
一方、壁面２には鏡止め具１０の固定部材１１が、止めねじ２１で取付けられている。
鏡１の上縁は可動部材３１の鉤部３５で係止され、押圧アーム１６は鏡１で押圧されて壁面２側に弾性変形している。
【００２７】
図４（ａ），（ｂ）は本発明に係る可動部材の鉤部（第１実施例）の構成図及び作用図であり、（ａ）は鉤部が鏡の上縁から外れた状態を示し、（ｂ）は鉤部が鏡の上縁に係止した状態を示す。
鉤部３５は鏡１の上端面１ａと対向する面に凸部３８を備え、この凸部３８は鏡１の上端面１ａの厚み方向（この図の左右方向）略中央又は中央より後部に当接するものである。すなわち、凸部３８は鉤部３５の左右（この図の前後）に貫通して一体に形成され、その断面形状は下向き半円状である。１条の凸部３８は（ｂ）に示すように、鏡１の板厚中心から寸法Ｓだけ後部にオフセットしている。
【００２８】
次に弾発力変化機構の作用を図５に基づき説明する。
図５（ａ）〜（ｃ）は本発明に係る弾発力変化機構（第１実施例）の作用説明図である。
（ａ）は、ばねが最も上部位置にある状態を示し、鉤部３５が上部位置から下降を開始するときに相当する。
（ｂ）は、ばねが下降途中にある状態を示す。
（ｃ）は、ばねが最も下部位置にある状態を示し、鉤部３５が鏡１の上縁に係止する下部位置にあるときに相当する。
【００２９】
（ａ）の状態で、第１下降作用部４４，４４がばね受部１４，１４と係合しているので、ばね４１は左右方向中央に絞られている。
この状態では、中央部４２は自己の弾発力で拡がり、この時の水平分力により第１下降作用部４４，４４はばね受部１４，１４に沿って外側に移動する。このため、ばね４１は下降するが、下方への弾発力が小さいので比較的低速である。
【００３０】
ばね４１は下降途中で（ｂ）に示すように、ばね受部１４，１４に対して第１下降作用部４４，４４から第２下降作用部４５，４５への係合に移行する。第２下降作用部４５，４５は第１下降作用部４４，４４よりも開き角度が大きいので、水平分力も大きく、下方への弾発力が大きい。このため、第２下降作用部４５，４５ははばね受部１４，１４に沿って外側に急速に移動する。従って、ばね４１は引続き下降するが、下方への弾発力が大きいので比較的高速である。
【００３１】
その後、ばね４１は（ｃ）に示すように、ばね受部１４，１４に対して第２下降作用部４５，４５の上部の係合に移行し、下降を停止する。
このように、ばね４１の弾発力は、第２下降作用部４５，４５がばね受部１４，１４に係合している状態の方が、第１下降作用部４４，４４がばね受部１４，１４に係合している状態よりも大きくなるように変化する。
【００３２】
次に、上記構成の下部受け具４及び鏡止め具１０による鏡１の取付け構造の組付け手順を説明する。
先ず、図１に示すように、壁面２に下部受け具４を取付け、次に、鏡止め具１０を壁面２に位置合せし、これを取付ける。
次に、鏡止め具１０の取付け手順を説明する。図６及び図７は本発明に係る鏡止め具（第１実施例）の作用説明図である。
【００３３】
鏡止め具１０は、図６に示すように固定部材１１の縦ガイド溝１３，１３に可動部材３１の脚部３３，３３を挿通し、次に、ばね４１の中央部４２をばね掛け部３６に掛け、その後、ばね４１の両端を圧縮しながら両端側（第２下降作用部４５の上部）をばね受部１４に掛けることで組立てられる。組立てられた鏡止め具１０は止めねじ２１で壁面２に取付けられる（図３参照）。
【００３４】
その後、可動部材３１の鉤部３５を摘んで持上げると、可動部材３１は図７に示す上部位置に上がる。同時に、ばね４１の両端側はばね受部１４，１４に沿って内側に移動する。この上部位置において、可動部材３１は保持部１７と圧接部３４とが圧接することによる摩擦力でロックされており、摘んでいた手を放しても下降しない。
【００３５】
鏡１の上縁を合せた後、可動部材３１の鉤部３５を押下げると、保持部１７と脚部３３，３３とが互いに相反する方向に弾性変形する。このため、保持部１７と圧接部３４とは摩擦力によるロックが外れる。従って、可動部材３１はばね４１の弾発力で引き下げられる。
すなわち図６に示すように、ばね４１の中央部４２は自己の弾発力で拡がり、この時の水平分力により両端側はばね受部１４，１４に沿って外側に移動する。このため、ばね４１は可動部材３１を引き下げる。従って、可動部材３１は自動的に引き下げられて、鉤部３５が鏡１の上縁に係止する。
以上で組立作業を完了する。
【００３６】
ところで、図７に示す状態から可動部材３１を下降させた場合に、鉤部３５は下降最初の所定時間（第１下降作用部４４，４４がばね受部１４，１４に沿って下降する時間）に比較的低速で下降し、その後、次の所定時間（第２下降作用部４５，４５がばね受部１４，１４に沿って下降する時間）に比較的高速で下降し、最後に、鏡１の上縁に当接する。
このため、鉤部３５が高速で下降しても加速時間が短いので、鏡１の上縁に当接する瞬間の最終速度は比較的低速ですむ。従って、鏡１の上縁に鉤部３５を当接した瞬間の鏡１への衝撃は弱い。
【００３７】
このように、鏡１への衝撃が弱いので、壁１に鏡を取付ける際に鏡１の上縁に衝撃を与えないように注意を払う必要はない。
しかも、ばね４１の弾発力を変化させることができるので、可動部材３１の持上がりに対する弾発力（抵抗力）を大きく設定することができる。すなわち、図６に示す鏡１が鏡止め具１０で壁面２に取付けられた状態では、弾発力の大きな第２下降作用部４５，４５がばね受部１４，１４と係合しているので、可動部材３１の持上がりに対する弾発力が大きい。このため、可動部材３１はわずかな外力で持上がる恐れがなく、鏡１の上縁を確実に止めることができる。
【００３８】
一方、図４（ａ）に示すように、鉤部３５が鏡１の上縁から外れた状態からばねの弾発力で下降した際に、（ｂ）に示すように凸部３８は鏡１の上端面１ａに当たる。このため、鉤部３５が鏡１の上縁の角部１ｂ，１ｃに衝当することがない。従って、壁面に鏡１を取付ける際に、鏡１の上縁の角部１ｂ，１ｃに衝撃を与えないように注意を払う必要がない。
また、凸部３８が鏡１の上端面１ａの厚み方向略中央又は中央より後部に当接するので、鏡１の前面側の角部１ｂに衝撃が加わるのを一層防止できる。
【００３９】
次に、上記可動部材３１の鉤部３５に備えた凸部３８の変形例を図８〜図１１に基づき説明する。
図８（ａ），（ｂ）は本発明に係る鉤部の凸部（第１実施例）の変形例図であり、（ａ）は可動部材の斜視図、（ｂ）は鉤部の要部断面図である。
鉤部３５の底面には凸部３８Ａが一体に形成され、この凸部３８Ａは鉤部３５の左右方向に所定長さ（鉤部３５の左右に貫通しない長さ）で且つ下向き半円状断面である。
【００４０】
図９（ａ），（ｂ）は本発明に係る鉤部の凸部（第１実施例）の変形例図であり、（ａ）は可動部材の斜視図、（ｂ）は鉤部の要部断面図である。
鉤部３５の底面には凸部３８Ｂが一体に形成され、この凸部３８Ｂは鉤部３５の左右方向中央が最も低い四角錐状である。
【００４１】
図１０（ａ），（ｂ）は本発明に係る鉤部の凸部（第１実施例）の変形例図であり、（ａ）は可動部材の斜視図、（ｂ）は鉤部の要部断面図である。
鉤部３５の底面には別部材からなる凸部３８Ｃが貼り付け等により固定され、この凸部３８Ｃは鉤部３５の左右端にわたって延びる下向き半円状断面であって、ゴム、軟質樹脂等の弾性を有するクッション材からなる。そして、凸部３８Ｃは鉤部３５に貼り付け等により固定される。
【００４２】
図１１（ａ），（ｂ）は本発明に係る鉤部の凸部（第１実施例）の変形例図であり、（ａ）は可動部材の斜視図、（ｂ）は鉤部の要部断面図である。
鉤部３５の底面には別部材からなる凸部３８Ｄが貼り付け等により固定され、この凸部３８Ｄは鉤部３５の下面全体（前後左右）にわたって延びるシート状であって、ゴム、軟質樹脂等の弾性を有するクッション材からなる。そして、凸部３８Ｄは鉤部３５に貼り付け等により固定される。
なお、上記図１０、図１１に示す凸部３８Ｃ，３８Ｄは鏡１の上端面１ａに貼り付け等により固定してもよい。
【００４３】
次に、第２実施例を図１２及び図１３に基づき説明する。なお、上記第１実施例と同構成については同一符号を付し、その説明を省略する。
図１２（ａ），（ｂ）は本発明に係る鏡止め具（第２実施例）の構成図であり、（ａ）は鏡止め具の正面図、（ｂ）はばねの正面図である。
第２実施例は、ばね４１の両端側に且つ第２下降作用部４５，４５の上部に、ばね４１の左右方向外側に突出した円弧状の第３下降作用部４６，４６を一体に形成したことを特徴とする。
そして、ばね受部１４とばね掛け部３６と第１・第２・第３下降作用部４４，４５，４６とからなる構成は、ばね４１の弾発力を変化させる弾発力変化機構を構成する。
【００４４】
次に、第２実施例の作用を図１２及び図１３に基づき説明する。
図１３は本発明に係る鏡止め具（第２実施例）の作用説明図である。
可動部材３１の鉤部３５が図１３に示す上部位置に上がった状態で、鏡１の上縁を合せた後に鉤部３５を押下げると、保持部１７と圧接部３４とは摩擦力によるロックが外れる。従って、可動部材３１はばね４１の弾発力で引き下げられ、図１２（ａ）に示すように鉤部３５が鏡１の上縁に係止される。
【００４５】
この場合、ばね４１はばね受部１４，１４に対して、第１下降作用部４４，４４→第２下降作用部４５，４５→第３下降作用部４６，４６の順で係合関係が移動し、最後に中央部４２の下端が係合する。
このため、ばね４１は第２下降作用部４５，４５がばね受部１４，１４に沿って急速に下降するが、その後、外側に突出した円弧状の第３下降作用部４６，４６がばね受部１４，１４と係合するので、下降速度が再び低速になる。従って、鉤部３５が鏡１の上縁に当接する最終速度は比較的低速ですむ。そして、鏡１の上縁に鉤部３５を当接する衝撃は一層弱くなる。
【００４６】
従って、壁面２に鏡１を取付ける際に、鏡１の上縁に衝撃を与えないように注意を払う必要がない。
しかも、第３下降作用部４６，４６の円弧状の突出高さを大きく設定して、可動部材３１の持上がりに対する弾発力（抵抗力）を大きく設定することができる。このため、可動部材３１がわずかな外力で持上がる恐れがなく、鏡１の上縁を一層確実に止めることができる。
【００４７】
次に、第３実施例を図１４及び図１５に基づき説明する。なお、上記第１実施例と同構成については同一符号を付し、その説明を省略する。
図１４（ａ），（ｂ）は本発明に係る鏡止め具（第３実施例）の構成図であり、（ａ）は正面を示し、（ｂ）は側面を示す。
第３実施例は、側面視湾曲状のばね４１の両端側に、最下端の端末部４３，４３と、この端末部４３，４３の上部の第１下降作用部（下降作用部）４４，４４のみ形成したことを特徴とする。
【００４８】
具体的には、ばね４１は中央部４２の両下端から端末部４３，４３の上部までを第１下降作用部４４，４４とし、この第１下降作用部４４，４４は左右方向に湾曲した（カールされた）形状である。
また、ばね４１は（ｂ）の想像線で示すように、前側（この図の左側）に湾曲した側面視湾曲状（中央部４２の上端から第１下降作用部４４の下端にかけて緩やかに湾曲した形状）に形成されている。
【００４９】
そして、ばね４１は、下降作用部４４が平面視Ｌ字状のばね受部１４に掛けられることで後方（この図の右側）に絞られて、（ｂ）の実線で示すようにやや偏平状に変形した状態でセットされている。
このように組合せられたばね受部１４，１４と第１下降作用部４４，４４とからなる構成は、ばね４１の弾発力を変化させる弾発力変化機構を構成する。
【００５０】
次に、第３実施例の作用を図１４及び図１５に基づき説明する。
図１５（ａ），（ｂ）は本発明に係る鏡止め具（第３実施例）の作用説明図であり、（ａ）は正面を示し、（ｂ）は側面を示す。
可動部材３１の鉤部３５が図１５（ａ）に示す上部位置に上がった状態で、鏡１の上縁を合せた後に鉤部３５を押下げると、保持部１７と圧接部３４とは摩擦力によるロックが外れる。従って、可動部材３１はばね４１の弾発力で引き下げられ、図１４（ａ）に示すように鉤部３５が鏡１の上縁に係止される。
【００５１】
この場合、図１５（ｂ）に示すように鉤部３５が上部位置に上がった状態で、ばね受部１４は第１下降作用部４４の下端と係合している。このため、ばね４１はばね受部１４で絞られていないので、概ね側面視湾曲状である。この状態から、中央部４２は自己の弾発力で図１５（ａ）の左右方向に拡がり、この時の水平分力により第１下降作用部４４，４４はばね受部１４，１４に沿って外側に移動する。このため、ばね４１は下降する。
【００５２】
第１下降作用部４４の下降に伴い、第１下降作用部４４は下部から上部に向ってばね受部１４で絞られるので、側面視偏平状に変形しながら下降する。このため、ばね４１は下降速度を制限されて下降するので、鉤部３５が鏡１の上縁に当接する衝撃を弱めることができる。従って、壁面２に鏡１を取付ける際に、鏡１の上縁に衝撃を与えないように注意を払う必要がなく、取付け作業性が高まる。
【００５３】
また、鏡１が鏡止め具１０で壁面２に取付けられた状態では、第１下降作用部４４はばね受部１４と係合した部分が側面視偏平状に変形しているので、可動部材３１の持上がりに対する弾発力（抵抗力）が大きい。このため、可動部材３１がわずかな外力で持上がる恐れはなく、鏡１の上縁を確実に止めることができる。
この第３実施例によれば、ばね４１を側面視湾曲状にしただけの簡単な構成で、ばね４１の弾発力を変化させることができる。
【００５４】
次に、第４実施例を図１６及び図１７に基づき説明する。なお、上記第３実施例と同構成については同一符号を付し、その説明を省略する。
図１６は本発明に係る鏡止め具（第４実施例）の正面図である。
第４実施例は、上記図１４に示す第３実施例のばね４１を側面視直線状としたものである。すなわち、ばね４１は側面視湾曲状に形成しない構成である。そして、ばね４１は表面に所定の摩擦抵抗を有する被膜を施されたことを特徴とし、被膜は、例えばメッキや樹脂コーティングにて施される。
このように組合せられたばね受部１４，１４と第１下降作用部４４，４４とからなる構成は、ばね４１の弾発力を変化させる弾発力変化機構を構成する。
【００５５】
次に、第４実施例の作用を図１６及び図１７に基づき説明する。
図１７は本発明に係る鏡止め具（第３実施例）の作用説明図である。
可動部材３１の鉤部３５が図１７に示す上部位置に上がった状態で、鏡１の上縁を合せた後に鉤部３５を押下げると、保持部１７と圧接部３４とのは摩擦力によるロックが外れる。従って、可動部材３１はばね４１の弾発力で引き下げられ、図１６に示すように鉤部３５が鏡１の上縁に係止される。
【００５６】
この場合、ばね４１は表面に摩擦抵抗を有する被膜を施されているので、ばね受部１４，１４との滑り摩擦抵抗が大きい。このため、可動部材３１を下降させた場合に、鉤部３５は比較的低速で下降して鏡１の上縁に当接する。従って、鉤部３５が鏡１の上縁に当接する最終速度は比較的低速ですむ。そして、鏡１の上縁に鉤部３５を当接する衝撃は一層弱くなる。
【００５７】
このように、壁面２に鏡１を取付ける際に、鏡１の上縁に衝撃を与えないように注意を払う必要がない。また、可動部材３１の持上がりに対しても、ばね４１とばね受部１４，１４との摩擦力が作用するので、可動部材３１の持上がりに対する弾発力（抵抗力）が一層大きくなる。このため、可動部材３１はわずかな外力で持上がる恐れがなく、鏡１の上縁を確実に止めることができる。
この第４実施例によれば、ばね４１がシンプルな形状であるにもかかわらず、鉤部３５が下降する際の速度を制限することができる。
【００５８】
なお、上記第１・第２・第３・第４実施例において、可動部材３１の鉤部３５への凸部３８，３８Ａ〜３８Ｄの有無は任意である。弾発力変化機構と凸部３８，３８Ａ〜３８Ｄの両方を備えることにより、鏡１の上縁に鉤部３５を当接する衝撃は一層弱くなる。
【００５９】
また、鉤部３５に凸部３８，３８Ａ〜３８Ｄを備えた構成の鏡止め具１０は、弾発力変化機構を備えない構成でもよい。例えば、上記図１６に示す第４実施例の構成において、表面に被膜を施さないばね４１を用いることができる。この場合には、鏡１の上縁へ衝撃を与えないように凸部３８，３８Ａ〜３８Ｄが作用し、可動部材３１が持上がらないように、ばね４１の第１下降作用部４４，４４の弾発力が作用する。
【００６０】
【発明の効果】
本発明は上述のとおり構成されているので、次に記載する効果を奏する。
請求項１記載の発明は、ばねの弾発力を変化させる弾発力変化機構を設けたことにより、ばねの弾発力が変化するので、鉤部が下降する際の速度を制限することができる。このため、鏡の上縁に鉤部を当接した瞬間の鏡への衝撃を弱めることができる。従って、壁面に鏡を取付ける際に、鏡の上縁に衝撃を与えないように注意を払う必要がなく、取付け作業性が高まる。
しかも、ばねの弾発力を変化させることができるので、可動部材の持上がりに対する弾発力を大きく設定することができる。このため、可動部材がわずかな外力で持上がる恐れがなく、鏡の上縁を確実に止めることができる。
【００６１】
さらに請求項１記載の発明は、略逆Ｖ字状のばねの両端側を固定部材の左右側に有するばね受部に掛け、且つばねの中央側を可動部材の左右方向中央に有するばね掛け部に掛け、更に、ばねの両端側に、下方へ略ハ字形に開かれた第１下降作用部と、この第１下降作用部の上部で第１下降作用部よりも略ハ字形の開き角が大きい第２下降作用部とを形成し、弾発力変化機構を第１・第２下降作用部とばね掛け部とばね受部とで構成したことにより、第２下降作用部の方が第１下降作用部よりも開き角が大きいので、下方への弾発力も大きくなる。
そして、可動部材を下降させた場合に、ばねは最初に弾発力の小さな第１下降作用部がばね受部と係合しながら下降し、次に弾発力の大きな第２下降作用部がばね受部と係合しながら下降する。このため、鉤部は最初の所定時間に比較的低速で下降し、次にこれよりも高速で下降して鏡の上縁に当接する。従って、鉤部が高速で下降しても加速時間が短いので、鏡の上縁に当接する瞬間の最終速度は比較的低速ですむ。これにより、鉤部が鏡の上縁に当接した瞬間の衝撃を弱めることができる。従って、壁に鏡を取付ける際に、鏡の上縁に衝撃を与えないように注意を払う必要がなく、取付け作業性が高まる。
また、鏡が鏡止め具で壁面に取付けられた状態では、弾発力の大きな第２下降作用部がばね受部と係合しているので、可動部材の持上がりに対する弾発力が大きい。このため、可動部材がわずかな外力で持上がる恐れはなく、鏡の上縁を確実に止めることができる。
更に、ばねに第１・第２作用部を形成しただけの簡単な構成で、ばねの弾発力を変化させることができる。
【００６２】
請求項２記載の発明は、ばねの両端側に且つ第２下降作用部の上部に、ばねの左右方向外側に突出した円弧状の第３下降作用部を形成したので、鏡の上縁に当接する瞬間の最終速度を一層低速にすることができる。このため、鏡の上縁に鉤部を当接した瞬間の鏡への衝撃を一層弱めることができる。
【００６４】
請求項３記載の発明は、ばねの弾発力を変化させる弾発力変化機構を設けたことにより、ばねの弾発力が変化するので、鉤部が下降する際の速度を制限することができる。このため、鏡の上縁に鉤部を当接した瞬間の鏡への衝撃を弱めることができる。従って、壁面に鏡を取付ける際に、鏡の上縁に衝撃を与えないように注意を払う必要がなく、取付け作業性が高まる。
しかも、ばねの弾発力を変化させることができるので、可動部材の持上がりに対する弾発力を大きく設定することができる。このため、可動部材がわずかな外力で持上がる恐れがなく、鏡の上縁を確実に止めることができる。
さらに請求項３記載の発明は、弾発力変化機構を、表面に所定の摩擦抵抗を有する被膜を施されたばねの下降作用部とばね受部とで構成したことにより、下降作用部とばね受部との摩擦力によって、ばねの弾発力を変化させることができるので、ばねがシンプルな形状であるにもかかわらず、鉤部が下降する際の速度を制限することができる。また、可動部材の持上がりに対しても、ばねとばね掛け部との摩擦力が作用するので、可動部材の持上がりに対する抵抗力が一層大きくなる。
【図面の簡単な説明】
【図１】本発明に係る鏡止め具（第１実施例）による鏡の取付け構造の斜視図
【図２】本発明に係る鏡止め具（第１実施例）の分解斜視図
【図３】図１の３−３線拡大断面図
【図４】本発明に係る可動部材の鉤部（第１実施例）の構成図及び作用図
【図５】本発明に係る弾発力変化機構（第１実施例）の作用説明図
【図６】本発明に係る鏡止め具（第１実施例）の作用説明図
【図７】本発明に係る鏡止め具（第１実施例）の作用説明図
【図８】本発明に係る鉤部の凸部（第１実施例）の変形例図
【図９】本発明に係る鉤部の凸部（第１実施例）の変形例図
【図１０】本発明に係る鉤部の凸部（第１実施例）の変形例図
【図１１】本発明に係る鉤部の凸部（第１実施例）の変形例図
【図１２】本発明に係る鏡止め具（第２実施例）の構成図
【図１３】本発明に係る鏡止め具（第２実施例）の作用説明図
【図１４】本発明に係る鏡止め具（第３実施例）の構成図
【図１５】本発明に係る鏡止め具（第３実施例）の作用説明図
【図１６】本発明に係る鏡止め具（第４実施例）の正面図
【図１７】本発明に係る鏡止め具（第４実施例）の作用説明図
【符号の説明】
１…鏡、１ａ…上端面、１ｂ，１ｃ…角部、２…壁面、４…下部受け具、５…止めねじ、１０…鏡止め具、１１…固定部材、１３…縦ガイド溝、１４…弾発力変化機構（ばね受部）、１５…ねじ用孔、１８…ガイド部、２１…止めねじ、３１…可動部材、３３…脚部、３５…鉤部、３６…ばね掛け部、３８，３８Ａ〜３８Ｄ…凸部、４１…ばね、４２…中央部、４３…端末部、４４…弾発力変化機構（第１下降作用部、下降作用部）、４５…弾発力変化機構（第２下降作用部）、４６…弾発力変化機構（第３下降作用部）。
【図１】
0003789526.tif 000002
【図２】
0003789526.tif 000003
【図３】
0003789526.tif 000004
【図４】
0003789526.tif 000005
【図５】
0003789526.tif 000006
【図６】
0003789526.tif 000007
【図７】
0003789526.tif 000008
【図８】
0003789526.tif 000009
【図９】
0003789526.tif 000010
【図１０】
0003789526.tif 000011
【図１１】
0003789526.tif 000012
【図１２】
0003789526.tif 000013
【図１３】
0003789526.tif 000014
【図１４】
0003789526.tif 000015
【図１５】
0003789526.tif 000016
【図１６】
0003789526.tif 000017
【図１７】
0003789526.tif 000018